【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
血液試料においてインピーダンス測定を実施するための電極アセンブリであって、
複数のワイヤを含む電極と、
基板であって、
前記ワイヤを前記基板内に封入する頂部と、
ブレースを含む底部であって、前記ブレースは、前記電極アセンブリが前記血液試料中に配置されると、前記ワイヤの露出領域が前記血液試料に接触するように前記ワイヤのすべての側で前記ワイヤの一領域を露出させる、前記電極アセンブリを通って延在する開口部によって分離される上部及び下部を有し、前記ブレースが、前記ブレースの上部及び前記ブレースの下部の開口部の両側で前記ワイヤを前記基板に固定する、底部と、を含む基板と、を備える電極アセンブリ。
【請求項２】
前記基板が剛性プラスチックで構成される、請求項１に記載の電極アセンブリ。
【請求項３】
前記基板が、前記基板を形成するために噛合された第１層及び第２層を含み、前記電極の一領域が、前記基板の前記第１層と前記第２層との間で密閉され、その結果、前記電極アセンブリが前記血液試料中に浸漬された時、前記密閉された領域が前記血液試料と接触しない、請求項１又は２に記載の電極アセンブリ。
【請求項４】
前記第１層が誘導部を含み、前記誘導部に沿って前記電極の前記ワイヤが前記基板に対して固定され、前記誘導部が、１つ又は複数の溝、１つ又は複数の上昇した誘導部、及びそれらの任意の組み合わせからなる群から選択される、請求項３に記載の電極アセンブリ。
【請求項５】
前記基板の前記頂部が、前記底部の幅よりも大きな幅を有する区分を有し、前記ワイヤが、互いに平行に、かつ、前記基板に沿って垂直方向に互いに一定距離をおいて延び、前記ワイヤが、前記基板のより大きな幅の区分で互いから離れて延びる、請求項１〜４のいずれか１項に記載の電極アセンブリ。
【請求項６】
前記基板の前記底部が、前記基板の前記頂部に対して中心が外れている、請求項１〜５のいずれか１項に記載の電極アセンブリ。
【請求項７】
前記ブレースが前記血液試料中に浸漬され得るために、前記基板の前記頂部が、前記血液試料を保持するコンテナの縁部に載せられるように、又は、前記縁部と接触するように適合され、前記ワイヤの前記露出領域が前記コンテナ内で前記コンテナの中心垂直軸に対して中心が外れるように、前記基板の前記底部が位置づけられ、前記ワイヤが前記血液の流れに直角に位置づけられる、請求項１〜６のいずれか１項に記載の電極アセンブリ。
【請求項８】
前記ワイヤの前記露出領域が、前記ワイヤが出て、その後、前記基板に再度入る領域を含み、前記ワイヤが互いに平行になるように、前記ブレースが前記ワイヤを適所に固定するＣ形又はＬ形区分を形成している、請求項１〜７のいずれか１項に記載の電極アセンブリ。
【請求項９】
前記ブレースが、
前記基板の前記底部の最低部分から実質的に垂直方向に離れるように延在する締め付けアームと、
前記締め付けアームから実質的に水平方向に離れるように延在する固定基部であって、前記電極の前記複数のワイヤの端部を前記基板の前記ブレースの下部に固定する固定基部と、を含む、請求項１〜８のいずれか１項に記載の電極アセンブリ。
【請求項１０】
試料中でインピーダンス測定を実施するための電極アセンブリであって、
複数のワイヤを含む電極と、
前記電極の位置を固定する実質的に剛性の基板であって、前記ワイヤを前記基板内に封入する第１層及び第２層を含み、前記基板はブレースをさらに含み、前記ブレースは、前記ワイヤのすべての側で前記ワイヤの一領域を露出させる、前記電極アセンブリを通って延在する開口部によって分離される上部及び下部を有し、前記ブレースは、前記ブレースの前記上部及び前記ブレースの前記下部の開口部の両側で前記ワイヤを前記基板に固定する部分をさらに含み、その結果、前記電極アセンブリが前記試料中に配置されると、前記ワイヤの前記露出領域が前記試料と接触する、基板と、を備える電極アセンブリ。
【請求項１１】
前記基板が、剛性プラスチックで構成され、前記電極が、パラジウムコーティングされた銅で構成される、請求項１０に記載の電極アセンブリ。
【請求項１２】
前記第１層及び前記第２層が、一緒になって前記基板を形成し、前記電極が、前記基板の前記第１層と前記第２層との間に固定される、その結果、前記電極アセンブリが前記血液試料中に浸漬された時に、前記固定された領域が前記血液試料と接触しない、請求項１０又は１１に記載の電極アセンブリ。
【請求項１３】
前記電極アセンブリの前記基板が頂部及び底部を含み、前記頂部が、前記電極を外部コネクタに露出させ、前記底部が、前記電極の一部を露出させる前記開口部を有する前記ブレースを含み、前記電極の残りの部分が前記基板の前記第１層と前記第２層との間に含まれる、請求項１２に記載の電極アセンブリ。
【請求項１４】
前記ブレースが、
前記基板の前記底部の最低部分から実質的に垂直方向に離れるように延在する締め付けアームと、
前記締め付けアームから実質的に水平方向に離れるように延在する固定基部であって、前記電極の前記複数のワイヤの端部を前記基板の前記ブレースの前記下部に固定する固定基部と、を含む、請求項１３に記載の電極アセンブリ。
【請求項１５】
前記第１層が誘導部を含み、前記誘導部に沿って前記電極が前記基板に固定され、前記誘導部が、１つ又は複数の溝、１つ又は複数の上昇した誘導部、及びそれらの任意の組み合わせからなる群から選択される、請求項１０〜１４のいずれか１項に記載の電極アセンブリ。
【請求項１６】
前記電極アセンブリが頂部及び底部を含み、前記頂部の幅が、前記底部の幅よりも大きい、請求項１０〜１５のいずれか１項に記載の電極アセンブリ。
【請求項１７】
前記電極アセンブリの前記底部の中心と前記電極アセンブリの前記頂部の中心とが心合わせされておらず、その結果、前記基板の前記底部が、前記基板の前記頂部に対して中心が外れている、請求項１６に記載の電極アセンブリ。
【請求項１８】
液体試料を保持するための試料ホルダと、
電極アセンブリの一部を前記試料ホルダ内の前記液体試料の中に位置づけるために、前記試料ホルダと連結するように構成された電極アセンブリと、を含み、
前記電極アセンブリが、電極と、前記電極の位置を固定する実質的に剛性の基板と、を含み、
前記基板がブレースを含み、前記ブレースは、前記液体試料に前記電極アセンブリの１以上のワイヤのすべての側で前記ワイヤの一領域を露出させる、前記電極アセンブリを通って延在する開口部によって分離される上部及び下部を有し、前記ブレースは、前記ブレースの前記上部及び前記ブレースの前記下部の開口部の両側で前記電極を前記基板に固定する部分を含み、その結果、前記電極アセンブリが前記液体試料中に配置されると、前記露出領域が前記液体試料に接触する、血小板インピーダンス測定システム。
【請求項１９】
前記試料ホルダが、キュベット、試験管、又はフラスコからなる群から選択される、請求項１８に記載のシステム。
【請求項２０】
撹拌棒、ロータ、又はそれらの任意の組み合わせからなる群から選択されるミキサをさらに含む、請求項１８又は１９に記載のシステム。
【請求項２１】
前記電極アセンブリが、前記電極アセンブリの頂部に１つ又は複数のコネクタを含み、前記電極アセンブリが、前記試料ホルダと連結している、請求項１８〜２０のいずれか１項に記載のシステム。
【請求項２２】
前記基板が、剛性プラスチックで構成される、請求項１８〜２１のいずれか１項に記載のシステム。
【請求項２３】
前記基板が、一緒になって前記基板を形成する第１層及び第２層を含み、前記電極が、前記基板の前記第１層と前記第２層との間で固定される、請求項１８〜２２のいずれか１項に記載のシステム。
【請求項２４】
前記電極アセンブリが頂部及び底部を含み、前記底部が、前記電極の前記領域を露出させる前記開口部を有する前記ブレースを含み、前記電極の残りの部分が、前記基板の前記第１層と前記第２層との間に含まれる、請求項２３に記載のシステム。
【請求項２５】
前記基板が、１つ又は複数の溝を含み、前記溝に沿って前記電極が前記基板に固定される、請求項１８〜２４のいずれか１項に記載のシステム。
【請求項２６】
前記電極が、パラジウムコーティングされた銅で構成される、請求項１８〜２５のいずれか１項に記載のシステム。
【請求項２７】
前記電極アセンブリが頂部及び底部を含み、前記頂部の幅が、前記底部の幅よりも大きく、前記電極アセンブリの前記底部の中心と前記電極アセンブリの前記頂部の中心とが心合わせされていない、請求項１８〜２６のいずれか１項に記載のシステム。